(57)【要約】【課題】  ＯＶＦ撮影ができないカメラ（３０１ｅなど）での省電力動作。【解決手段】  ＥＶＦのみのカメラで、電源が弱ってきても、ＥＶＦを切ることができないので、ＩＳ動作を停止したり、ＣｏｎｔｉＡＦをやめたり、ズーム動作でＡＦしないようにする。それ以上に電源が弱い場合、ズーム動作自体が困難になるので、パンフォーカスモード（ズームはワイド端で、フォーカスは所定絞りでの定点位置。所定絞りは例えばＦ５．６）での撮影のみ許可する。【選択図】  図１
2005348302.tif 000002
【特許請求の範囲】
【請求項１】
ＣＣＤ等の撮像素子からの静止画像信号を、デジタルデータで構成したデジタル画像信号にして、磁気媒体や半導体素子等、何らかの記録手段によって記録するデジタル画像記録カメラであって、前記撮像素子からの画像信号を、連続的に液晶ファインダへの駆動信号に変換、あるいはビデオ信号に変換して、所謂、ライブ画像表示することが可能であり、カメラの振れ方向と量を検知する手段（所謂手振れ検知手段）と、その検知結果によってカメラの撮像光学軸を変位させて検知した振れ量をキャンセルするように動作する光学系手振れ補正機構と、また所謂レリーズＳＷを押さない状態で、常に焦点調節を行う、所謂ContinousAFを設定する手段と、ズームモータの駆動の際に同時に焦点調節を行うようにしたもので、電源電圧が所定の電圧よりも低くなった場合に、前記光学的手振れ補正機構による動作を止め、あるいは前記ContinousAFの設定を解除し、あるいはズームモータ駆動の際に焦点調節を行わないようにすることを特徴としたデジタル画像記録カメラ。
【請求項２】
ズームレンズ・フォーカスレンズを所定の位置に固定し、撮影準備の際に焦点調節動作を行わないようにした、所謂パンフォーカス撮影モードをもち、請求項１の複数の停止動作を全て行った状態で、電源電圧が所定の電圧よりも低くなった場合に、該パンフォーカスモードでの撮影のみを許可するようにした、請求項１のデジタル画像記録カメラ。
【請求項３】
常に液晶ファインダによってライブ画像表示を行い、それを停止することが不可能であることを特徴とする、請求項１および２のデジタル画像記録カメラ。
【発明の詳細な説明】
【技術分野】
【０００１】
本発明は、静止画像を撮像、記録、再生するデジタルカメラに関する。
【背景技術】
【０００２】
従来、固体メモリ素子を有するメモリカード等を記録媒体として、ＣＣＤ等の撮像素子からの静止画像を記録再生する、特開2002−199272に開示されているような所謂デジタルカメラは既に市販されており、カラー液晶パネル等の液晶ファインダを備えるデジタルカメラも販売されている。
【０００３】
これらのデジタルカメラは、従来から、その消費電力の多さと、それによって電池がすぐなくなるという問題が、いまだに懸念事項として存在しているが、近年は、電気回路構成素子の消費電力の低減で、電池のもちはかなり改善されている。それに加えて、電池が残り少なくなった場合や、一定時間、操作していないとき等には、省電力動作をするようになっている。具体的には、撮像系（ＣＣＤやその駆動素子等）の電源／表示系（液晶ファインダの駆動素子やバックライト等）の電源をＯＦＦにして、メイン電源で動作しているＣＰＵやその周辺素子を、所謂、スリープモードで動作するようにして消費電力を極力下げ、全体の消費電流として数10μＡから数100μＡにしている。この状態から、例えば、レリーズボタンを押すと、上記のスリープモードから通常モードになり、撮影動作を開始する。この撮影動作は、表示系は無関係で、液晶ファインダなどの電源を入れないで、撮像系電源だけを入れて行う（ＯＶＦ撮影）。このようにして、電池が弱ってきても、できるだけ撮影ができるようにし、撮影もできないようになるまでに、使用者に電池の交換あるいは充電を促すようにしている。
【発明の開示】
【発明が解決しようとする課題】
【０００４】
上記したデジタルカメラでの省電力動作は、ＯＶＦ動作が可能なカメラが前提であるが、デジタルカメラの中には、ＯＶＦが無く、ＥＶＦのみのものも存在する。例えば、ズーム倍率が大きいカメラで、ＴＴＬ（through the lens）ファインダが無く、撮影光学軸とは別の光学軸の光学ファインダ（ＯＶＦ）で構成されるカメラの場合、高倍率側では撮影光学軸とファインダ光学軸のずれが顕著になるため、光学ファインダでの撮影を行うと、ファインダ上の画像と撮影された画像との違いが出過ぎる。このため、高倍率ズームをもつカメラの場合、ＴＴＬファインダが必須となるが、デジタルカメラの場合はレンズと撮像系の間が十分にとれないので、その間の撮影光軸上に光束分離の機構を設けることができず、ＴＴＬ光学ファインダの実現が難しい。それ故、撮像素子からの画像（この画像はＴＴＬ画像）を表示するように、ＯＶＦの代わりにＥＶＦが設けられている。
【０００５】
このような、ＥＶＦのみのカメラの場合、ＯＶＦ撮影という場合は無く、必ずＥＶＦの電源が入っており、上記の省電力動作はできないので、電源が弱ってきても電力消費を減らすことができない。それに加えて、このような高倍率ズームをもつカメラの場合、高倍率側での手持ち撮影で、カメラ本体を確実に固定することは、熟練を要し、場合によってはその熟練した者でもなかなか固定できない状態（所謂手振れ状態）が生じるので、その手振れ方向を検知して、逆方向に光学系全体を動かし、その振れをキャンセルするような、光学系手振れ補正機構（ＩＳ）が装備されているものがあり、これは常に動作しているので、この電力も付加される。また、ズーム動作は、ズームモータを駆動しながら、遷移していくズーム位置に対するフォーカス位置を所定のデータテーブルから補間して求め、その位置にフォーカスモータを駆動させる、所謂コンピュータズーム動作をしているが、このような高倍率ズームの場合は、補間して求めるフォーカス位置の精度があまり高くないので、そのフォーカス位置と実際のフォーカス位置（合焦位置）にずれが生じ、ズームを動かすと正しいフォーカス位置からはずれていってしまう。この対策として、ズームモータの駆動と同時に自動焦点調節（ＡＦ）を行っており、このフォーカス動作が電力を増加させている。また、高倍率側では、レリーズボタンが押されてからのＡＦのスキャン範囲が広く、ＡＦ時間が長くなる欠点があるので、レリーズボタンが押されなくても、常に被写体に追従してフォーカス位置がピント位置になるように動作する、所謂ContinousAFのモードにすることを推奨しているので、それらの検知と駆動の電力も追加されている。
【０００６】
このように、ＯＶＦ撮影ができないカメラの場合は、電力の減少が望めず、結果として、電池のもちが悪い（電池がなくなるのが早い）という問題点が残っている。
【課題を解決するための手段】
【０００７】
上記問題点を解決するため、本発明では次のようにした。
【０００８】
電源が弱ってきた場合の省電力モードとして、
・ ContinousAF（ＳＷ１Ｏｎ時だけでなく、常に焦点を合わせるように動作するモード）に設定されている時は、その設定を解除する。
【０００９】
・ ズーム動作でのＡＦを行わず、単なるＣＺ動作（コンピュータズーム動作）にする。
【００１０】
・ ＩＳ（光学系手振れ補正機構）の動作を止め、撮影光軸を中央に固定する。
ようにした。
【００１１】
更に上記ズーム動作すらできないくらい電源が弱い場合は、上記省電力動作に加えて、
・ ズーム動作を許可しない、パンフォーカスモードでのみ撮影を許可する。この場合、他の撮影モードからパンフォーカスモードに移行する時（ズームをワイド端へ移動、フォーカスを所定絞り定点へ移動、場合によっては絞りを所定絞りに駆動）、ＥＶＦ動作を停止する。あるいは、ズーム・フォーカス・絞り駆動を可能な限り低消費電流での速度制御で動作させる。
ようにした。
【発明の効果】
【００１２】
上記したように、ＯＶＦ動作によって省電力動作ができないデジタルカメラの場合に、省電力モードとして、ContinousAFを停止する・ズーム動作でＡＦ動作を伴わない・ＩＳ機構動作をしている場合にその動作を止める、あるいはパンフォーカスモードでの撮影のみを許可することにより、電池が弱ってきた場合でも、長時間にわたって撮影動作が可能となる効果がある。
【発明を実施するための最良の形態】
【００１３】
以下、図面を参照して本発明の実施例を説明する。
【００１４】
図１は、本発明におけるデジタルカメラのシステム概要図である。
【００１５】
以下に、その構成および動作について、簡単に述べる。
【００１６】
構成として大きくは、１の電源系ブロック、２の制御系ブロック、３の撮像系＆メカ制御ブロック、４のＬＣＤ／ＥＶＦドライバ＆通信系ブロック、５の鏡筒、６のＬＣＤユニット、７のＥＶＦユニット、８のＥＦユニット、９のＣＣＤ、１０の各ＳＷ群、１１のＬＥＤ、１２の外部白黒液晶、１３の音声入力用マイク等で構成されている。電源系ブロックには、電池の電源電圧が印加され、DC-DCコンバータによって、各ブロックへの電源が供給される。具体的には、撮像系及びメカドライバブロックには、撮像系電源と制御用電源、制御系ブロックには、制御用電源、ＬＣＤ／ＥＶＦドライバ＆通信系ブロックには、ＬＣＤ／ＥＶＦ駆動用電源と制御用電源、ＬＣＤ／ＥＶＦバックライトには、バックライト用電源、ＥＦユニットには、ＥＦユニット用電源が、それぞれ供給される。制御系ブロックは、２０１のメインＣＰＵ、２０２のサブＣＰＵ（レンズＣＰＵ）、２０３の画像処理プロセッサ、２０４のフラッシュＲＯＭ、２０５のＤＲＡＭ、２０６の時計ＩＣ、２０７・２０８のＤ／Ａコンバータ（電子ボリューム）、２０９のマルチプレクサ等で構成されている。フラッシュＲＯＭはＣＰＵが実行するプログラムとカメラ個々の調整値を格納しており、ＤＲＡＭは、メインＣＰＵが画像処理プロセッサを通してアクセス可能な領域と画像処理プロセッサが画像処理に使用する領域を持つ。時計ＩＣはメインＣＰＵが制御し、Ｄ／ＡコンバータはそれぞれのＣＰＵがシリアル通信制御している。また、メインＣＰＵには外部操作部材で構成されているＳＷ群からの検知信号が入力されており、その検知信号によってカメラ動作を実行する。撮像系＆メカ制御ブロックは、撮像系ＩＣ群とメカドライバ部分に大別され、撮像系ＩＣ群には、撮像素子の駆動パルスを発生させる、３０１のＴＧ（タイミングジェネレータ）と、撮像素子からの撮像信号を画像信号に変換してＡ／Ｄ変換機でデジタル信号にする、３０２のＣＤＳ／ＡＤＩＣがあり、各ＩＣはＣＰＵからのシリアル通信で制御され、また、画像処理プロセッサからはタイミング信号（ＶＤ・ＨＤ）がＴＧに入力されて、撮像素子を駆動し、その駆動結果の信号をデジタル信号にして、画像処理プロセッサに入力する。またメカドライバ部分には、鏡筒部内のモータ群（フォーカス・ズーム・ＩＧ・ＩＳ）のドライバＩＣ（３０３のフォーカス駆動ドライバ、３０４のズーム駆動ドライバ、３０５の絞り駆動ドライバ、３０６のＩＳ駆動ドライバ）で構成されており、サブＣＰＵ及び電子ボリュームからのメカ駆動コントロール信号とコントロール電圧によってドライバＩＣが各モータを駆動する。各モータからはモータ駆動の監視信号がＣＰＵに入力され、より精度の高い制御を行うようにしている。また、ＬＣＤ／ＥＶＦドライバ＆通信系ブロックは、ＬＣＤ／ＥＶＦ駆動系ＩＣ群と通信系ＩＣ群に大別される。ＬＣＤ／ＥＶＦ駆動系ＩＣ群には、ＣＰＵからのＹ／色差信号を入力して、ＬＣＤ／ＥＶＦ駆動信号を発生する、４０１のＥＶＦドライバ、４０２のＬＣＤドライバがあり、これらはメインＣＰＵからのシリアル通信で制御される。また、外部のビデオモニタ等にビデオ＆オーディオ信号を出力する、４０３のビデオアンプ＆オーディオアンプＩＣもこの���ロックに存在する。また、通信系ＩＣ群には、４０４のＲＳ２３２Ｃドライバ等があり、ＣＰＵとの間に複数のシリアル信号線が結線されている。
【００１７】
その他周辺部材としては、鏡筒内部は、フォーカスモータドライバから駆動制御される、５０１のフォーカスモータと、そのモータ動作の監視のためにＣＰＵにその信号が入力されているレンズ位置検知のためのフォトインタラプタ（ＰＩ）、ズームモータドライバから駆動制御される、５０２のズームモータと、そのモータ動作の監視のためにＣＰＵにその信号が入力されているレンズ位置検知のためのフォトインタラプタ（ＰＩ）、絞りモータドライバから駆動制御される、５０３の絞りモータと、そのモータ動作の監視のためにＣＰＵにその信号が入力されているその状態検知のためのホール素子（Ｈｏｌｅ）、ＩＳモータドライバから駆動制御される、５０４のＩＳモータ（手振れ補正用シフトモータ）と、そのモータ動作の監視のためにＣＰＵにその信号が入力されている状態検知のためのホール素子（Ｈｏｌｅ）、鏡筒内部ではないが、前記ＩＳモータ駆動のために、カメラ自身の上下左右の振れ状態を検知するための５０５のジャイロセンサが存在する。その他、ＬＣＤ／ＥＶＦブロックはそれぞれＬＣＤ／ＥＶＦドライバから駆動制御される、ＬＣＤ／ＥＶＦパネルと電源系ブロックから光量（明るさ）制御される（直接はＣＰＵが制御）バックライトで構成され、ＥＦユニットは、図示しないが、発光部・チャージ部・制御部から成り立つ。ＳＷ群は、レリーズＳＷをはじめ、モードダイヤル等、カメラの外部操作部材とその他検出ＳＷ等で構成されている。
【００１８】
次に、上記構成でのデジタルカメラの動作で、本発明に関わる動作を、図２のフローを元に説明する。以下の文中で、モードダイヤル・ＳＷ１（ＳＷ２）は、カメラ外部操作部材で、モードダイヤルは、電源ＯＦＦ（ＬＯＣＫ）／ＯＮ・撮影モードの切り替えをする部材で、ＳＷ１（ＳＷ２）は所謂レリーズＳＷ（シャッターボタン）で２段階のプッシュスイッチで１段目のプッシュでＳＷ１ＯＮ、２段目のプッシュでＳＷ２ＯＮとみなされ、ＳＷ１ＯＦＦでＳＷ２ＯＮはありえない構造である。
【００１９】
初期状態を、電池が挿入されていて、且つモードダイヤルがＬＯＣＫ位置（電源ＯＦＦ）とし、電源ＯＮすると、ＬＣＤ／ＥＶＦ（ファインダ）がＯＮするものとする。その状態から、モードダイヤルを撮影モード（電源ＯＮ）にする。モードダイヤルの撮影モードを検知する（Ｓ１０１）と、撮影シーケンスが実行される。まず、電源電圧によって撮影モード可能かどうかの判断がされ（Ｓ１０３）、撮影不可能となれば、外部白黒液晶（以下ＯＬＣ）に警告を出して（Ｓ１０４）、電源ＯＦＦと同じ状態に移行する。撮影モード可能ならば、ＯＬＣに現設定パラメータの表示を行い（Ｓ１０５）、記録媒体（本発明の場合ＣＦ）の有無やフォーマット、残り容量等を調べ（Ｓ１０６）、ＣＦがない場合や撮影して記録不可能の場合、警告を出す（Ｓ１０７）。そして、図示しないが、撮像系の電源をＯＮして撮像系を動作させる（Ｓ１０８）。（図２のフロー）。
【００２０】
撮像系を動作させると、その出力としてファインダ表示させ（Ｓ１１１）、ＳＷ１の状態を監視し（Ｓ１１２）、ＳＷ１が押されていたら、撮影シーケンスを実行する（Ｓ１１８）。ＳＷ１が押されていなかったら、ContinousAFのモードを判断し（Ｓ１１３）、ContinousAFが解除されている状態だと、そのままファインダ表示を継続する。図示してはいないが、そのファインダ表示のためには、ＡＥ・ＡＷＢ処理を実行しながらであることはもちろんである。一方、ContinousAFが設定されている場合は、電池の状態を監視し（Ｓ１１４）、ContinousAFが可能な電池状態ならば、ContinousAFを開始して、ファインダ表示を継続する（Ｓ１１５）。もちろんこれは、最初にこのシーケンスに入った時であり、それ以外の場合は、ContinousAF継続となる。ContinousAFが不可能な電池状態ならば、その時のContinousAFの状態を判定し（Ｓ１１６）、動作中ならば、ContinousAF動作を停止し（Ｓ１１７）、動作していない（停止している）ならば、そのままファインダ表示の継続となる。（図３のフロー）。ここで、Ｓ１１４の電池状態の監視であるが、これは動作としては、Ｓ１０３の状態監視と同じであるが、違いとしては、判断する電源電圧の閾値が違い、Ｓ１０３では、撮影そのものが可能かどうかなので、Ｓ１１４での判定よりも低い電圧に設定されている。本発明では詳細は述べないが、これらの閾値はカメラのシステムによって異なり、その判断シーケンスにも違いがある。また、Ｓ１１３のContinousAFのモード判定であるが、これも構成されるシステムにより違いがあり、機械的なスイッチでの判定や、カメラ内部でのソフト設定での判定（例えばメニュー画面で設定可能なもの）がある。ここで、機械的スイッチでの判定の場合、スイッチではContinuosAFが設定されて、実際は動作していないという不具合が生じるが、その時は、何らかの警告をするようにして、使用者にモードが変わったことがわかるようにする必要がある。例えば、LCD/EVF画面上で、“ContinousAF  Off  by  LB！”などの文字列を点滅させるようにする。
【００２１】
一方、上記ContinousAFの判定と平行に、ＩＳに関しても同じような判定がなされる。ＩＳはＳＷ１の状態には関わらず動作しているので、ＳＷ１の状態の判定はない。撮像系を動作させると、その出力としてファインダ表示させる（Ｓ１２１）。これは、Ｓ１１１と同じものである。表示させた後、ＩＳの動作モードを判定する（Ｓ１２２）。ＩＳを解除している状態だと、そのままファインダ表示に戻る。ＩＳが設定されている状態だと、電池状態を監視し（Ｓ１２３）、ＩＳ動作が可能な電池状態ならば、ＩＳ動作を開始して、ファインダ表示に戻る。もちろんこれは、最初にこのシーケンスに入った時であり、それ以外の場合は、ＩＳ動作継続となる。ＩＳ動作が不可能な電池状態ならば、その時のＩＳ動作状態を判定し（Ｓ１２５）、動作中ならば、ＩＳ動作を停止して光学系を中央に固定するようにし（Ｓ１２６）、動作していない（中央に固定されている）ならば、そのままファインダ表示の継続となる。（図４のフロー）。このＩＳでの電池状態の監視（Ｓ１２３）も上記したContinousAFの場合と同様に、動作としては、Ｓ１０３の状態監視と同じであるが、判断する電源電圧の閾値が、Ｓ１０３判定よりも高い電圧に設定されている。また、モード判定に関しても、同じく、構成されるシステムにより違いがあり、機械的なスイッチでの判定や、カメラ内部でのソフト設定での判定（例えばメニュー画面で設定可能なもの）がある。ここで、機械的スイッチでの判定の場合、スイッチではＩＳ動作がＯＮに設定されていて、実際は動作していないという不具合が生じるが、その時は、何らかの警告をするようにして、使用者にモードが変わったことがわかるようにする必要がある。
【００２２】
また、これらの動作と共に、ズーム動作も加わる。ズーム動作に対しても上記動作と同様なシーケンスを経る。ズーム動作もファインダ表示させながら行われる（Ｓ１３１）。これも、Ｓ１１１と同じものである。表示させた後、ズームレバーの状態を検知する。ズームレバーは構成として、両端がズームのＯＮになり、それぞれテレ側とワイド側になり、真中付近はテレ／ワイドともにＯＦＦされている状態である。まず、その状態に変化があるかどうかを判定する（Ｓ１３２）。変化が無ければ、そのままファインダ表示に戻る。変化があれば（ＯＮからＯＦＦへ、あるいはＯＦＦからＯＮへ）、どちらへの変化かを判定し（Ｓ１３３）、ＯＦＦへの変化ならば、ズーム動作を停止して（Ｓ１３７）、ファインダ表示に戻る。ＯＮへの変化ならば、電池状態を監視し（Ｓ１３４）、ＡＦ動作を伴うズーム動作が可能な電池状態ならば、ＡＦ動作を伴ったズーム動作を開始して、ファインダ表示に戻る。もちろんこれは、最初にこのシーケンスに入った時であり、それ以外の場合は、ズーム動作継続となる。また、ＡＦ動作を伴うズーム動作が不可能な電池状態ならば、ＡＦ動作を伴わないズーム動作、単なるＣＺ動作を開始して、ファインダ表示に戻る。このズーム動作での電池状態の監視（Ｓ１３４）も、ＩＳの場合と同様に、動作としては、Ｓ１０３の状態監視と同じであるが、判断する電源電圧の閾値が、Ｓ１０３判定よりも高い電圧に設定されている。
【００２３】
このように、各機能が制御されていて、且つ、平行して制御されているが、これらの機能に優先順位をつけてもよい。優先順位をつける方法としては、各機能停止の電圧閾値に段階を設ける。この優先順位は、カメラの仕様やハード構成によるところが大きい。
【００２４】
更に、これらの閾値よりも、より低い電圧の場合、つまり、上記のように、ＩＳ動作・ContinousAF動作・ズーム動作でのＡＦ動作の全てを禁止しても、撮影が不可能と判断されるような電圧の場合、所謂パンフォーカスモードでの撮影のみを許可するようにする。このパンフォーカスモードは、ある程度露出・焦点の精度を下げて、ほぼ適正な画像を素早く撮影することを目的としたモードで、ズームはワイド端に固定され、フォーカスはある所定位置（所定絞りにおいて、焦点深度の遠点を無限遠に設定したフォーカス位置）に固定されており、撮影開始までの動作（ＳＷ１ＯＮからＳＷ２ＯＮ許可までの動作）に、時間的に長く、且つ負荷的に重くなる鏡筒の動作が入らない。このモードのみを許可することによって撮影可能状態が保持できる。実際は、パンフォーカスモード以外のモードからの移行なので、その移行の際に鏡筒の動作が伴うが、その動作中は、ＥＶＦ動作（ライブ画像の更新等）を停止したり、ＥＶＦのバックライトを消灯したりして、電源負荷を鏡筒動作に配分する。あるいは、移行の際の鏡筒動作を、通常の動作よりも低速で行い、消費電流の軽減を計る。また、通常のパンフォーカスモードの場合、ＥＶＦ動作中（撮影待機状態、ＳＷ１，２ＯＦＦ状態）は、測光輝度によっては、絞り値が変化する場合があるが、この省電力モードでのパンフォーカスモードでは、絞りを所定の絞り値に固定し、ＳＷ１ＯＮ時（撮影準備中）に絞りを動作させないようにして、その電流消費が発生しないようにする。このパンフォーカスモードのみの許可であるが、パンフォーカスモード以外のモードであった場合に、上記状態が発生すれば、ＳＷ１ＯＮを受け付けないようにし、使用者にパンフォーカスモードのみ受け付けることがわかるように、何らかの警告、例えばＬＣＤ／ＥＶＦ画面上で、その旨の表示を行うようにしたり、警告音を発したりする。モードダイヤルでのモード選択ではなく、メニューでのモード選択の場合は、上記状態が発生した時点で、パンフォーカスモードに移行し、その旨をＬＣＤ／ＥＶＦ画面上に表示するようにして、且つ警告音を発生させるようにしてもよい。
【００２５】
このように、ContinousAFを停止してレリーズボタンのＯＮでＡＦを開始したり、ズーム動作でＡＦ動作せずに単なるＣＺ動作のみを行ったり、ＩＳ機構が備わっているカメラの場合にその動作を止めて光学系を中心に固定する、あるいはパンフォーカスモードでの撮影のみを許可することによって、電池が弱ってきても、すぐにシャットダウン（撮影不可能状態）せずに、撮影できる状態を持続することができる。
【図面の簡単な説明】
【００２６】
【図１】本発明におけるデジタルカメラシステムの概要図である。
【図２】本発明におけるデジタルカメラの動作フローの一部で、電源の立ち上げから撮像系の動作開始までの部分である。
【図３】本発明におけるデジタルカメラの動作フローの一部で、ファインダ表示中のContinousAF動作の概略部分である。
【図４】本発明におけるデジタルカメラの動作フローの一部で、ファインダ表示中のＩＳ動作の概略部分である。
【図５】本発明におけるデジタルカメラの動作フローの一部で、ファインダ表示中のズーム動作の概略部分である。
【図１】
2005348302.tif 000003
【図２】
2005348302.tif 000004
【図３】
2005348302.tif 000005
【図４】
2005348302.tif 000006
【図５】
2005348302.tif 000007